(57)【要約】【課題】バックホー等の土木機械のバケット本体に投入された原料に衝撃力を加えて破砕するバケットの提供。【解決手段】破砕装置を内蔵したバケット本体１０ａに揺動可能な揺動可能な投入バケット１１を設け、投入バケット１１で掬い取った原料を投入バケット１１からバケット本体１０ａに投入する。バケット本体１０ａの内部には、回転可能な破砕ロータに取り付けられた打撃部材２１と、バケット本体に破砕ロータの外周に沿って設けられた反撥部材２４、２５が設けられていて、投入された原料を衝撃力で破砕する。破砕された原料は、バケット本体１０ａの排出口２７から排出される。【選択図】  図２
2004346669.tif 000002
【特許請求の範囲】
【請求項１】
土木機械のアームの先端に揺動可能に設けられ、原料が投入される投入口と破砕された前記原料を排出するための排出口が形成されバケット本体と、
このバケット本体内に回転可能に設けられ、原料を破砕するために外周に１以上の破砕歯が設けられた破砕ロータと、
この破砕ロータを回転駆動するための駆動装置と、
前記バケット本体に揺動可能に設けられ、前記原料を掬い上げるとともに掬い上げた前記原料を前記バケット本体に投入するための投入バケットと
を備えている土木機械のバケット。
【請求項２】
請求項１に記載された土木機械のバケットにおいて、
前記バケット本体の内壁に設けられ前記破砕ロータの外周方向に沿って配置された１以上の反撥部材が配置されている
ことを特徴とする土木機械のバケット。
【請求項３】
請求項１又は２に記載された土木機械のバケットにおいて、
前記アームに対する前記バケット本体の揺動動作と、前記バケット本体に対する前記投入バケットの揺動動作とを連動させる連動手段が設けられていることを特徴とする土木機械のバケット。
【請求項４】
請求項１又は２に記載された土木機械のバケットにおいて、
前記破砕歯は、前記原料を主に打撃作用により破砕する打撃部材である
ことを特徴とする土木機械のバケット。
【請求項５】
請求項１又は２に記載された土木機械のバケットにおいて、
前記バケット本体と前記投入バケットとの間に、前記投入バケットを揺動させるための揺動用駆動装置を設けたことを特徴とする土木機械のバケット。
【請求項６】
請求項３に記載された土木機械のバケットであって、
前記連動手段は、前記アーム、前記バケット本体、前記投入バケットを連結している４節リンク機構で構成されていることを特徴とする土木機械のバケット。
【請求項７】
土木機械のアームの先端に揺動可能に設けられ、原料が投入される投入口と破砕された前記原料を排出するための排出口が形成されバケット本体と、
このバケット本体内に回転可能に設けられ、原料を破砕するために外周に１以上の破砕歯が設けられた破砕ロータと、
前記バケット本体に、一端側を中心に揺動可能に設けられ、前記バケット本体に投入された原料を前記破砕ロータ側に押し付ける押し付け部材と
を備えている土木機械のバケット。
【請求項８】
請求項７に記載された土木機械のバケットであって、
前記押し付け部材は、前記原料を押し付ける部位が格子状に形成されていることを特徴とする土木機械のバケット。
【請求項９】
請求項７又は８に記載された土木機械のバケットであって、
前記押し付け部材は、前記一端側と反対側に位置する他端側が前記バケット本体外に突き出し揺動する構成になっていることを特徴とする土木機械のバケット。
【請求項１０】
請求項７又は８に記載された土木機械のバケットにおいて、
前記バケット本体の内壁に設けられ前記破砕ロータの外周方向に沿って配置された１以上の反撥部材が配置されている
ことを特徴とする土木機械のバケット。
【発明の詳細な説明】
【０００１】
【発明の属する技術分野】
本発明は、土木機械のアームの先端に取り付けられたバケットの本体に投入バケットを揺動可能に設け、この投入バケットを介してバケットの本体に原料を投入する土木機械のバケットに関する。又、本発明は、バケット本体にコンクリート廃材等の原料を破砕する破砕装置を備えた土木機械のバケットに関する。
【０００２】
【従来の技術】
道路補修や建物等の解体に、アスファルトのガラやコンクリート廃材で代表される種々の産業廃棄物が数多く排出され社会問題になっている。従来は埋め立て用に多く処分されていたが、いまや環境保全の観点から再利用されるものが多い。特にコンクリート等の廃材は、量が多く、かつ、殆どは再利用のできるものであるため、その再利用が強く望まれている。
【０００３】
これらの廃材を直接処理する土木機械のバケットの役目は大きい。廃材等の原料を単に収集して他の場所に運搬し置換するのみでなく、バケットでの収集過程で原料を破砕する機能を有する土木機械もある。しかし、バケットに補助的に第２のバケットを設けた構成のものはない。バケット内で廃材を破砕する簡易な方法の例として、バケット内に種々の破砕装置が設けられたものが提案されている。
【０００４】
これらの例として、バケットに掬い取ったコンクリート塊等廃材を挟圧粉砕する一対の破砕盤を接離可能に対設し、廃材を掬い取ってそのまま破砕し排出するものが知られている（例えば、特許文献１）。また、バケットに破砕歯を供えた作動体を往復運動可能に設け、バケットに設けられた固定破砕歯との間でコンクリート廃材を破砕するものも知られている（例えば、特許文献２）。さらに、バケット内の掬い器内に一対の回転軸を設け、各回転軸に大中小の破砕歯板を取り付け、回転軸を回転させることにより歯板群でコンクリート塊を小さく砕くものも知られている（例えば、特許文献３）。
【０００５】
【特許文献１】
特開平１０−１２１７４８号公報
【特許文献２】
特開平９−３１６９１２号公報
【特許文献３】
特開平１０−３０２４７号公報
【０００６】
【発明が解決しようとする課題】
しかしながら、前記した特許文献に記載された技術では、被破砕物等の原料を破砕する駆動モータ等の駆動に、大きな駆動トルク等が必要であった。しかし、駆動モータ等の駆動体はバケットに取り付け可能なものでなければならず大きな駆動トルク等を有する大型の駆動体を使用することは困難であった。また、バケットの大きさに合わせた駆動モータ等の駆動体を使用した破砕装置では、被破砕物等の原料を破砕する能力が低いものとなってしまうという問題点があった。
【０００７】
そのため、バケット内で被破砕物等の原料を効率よく破砕するのに適した破砕装置を内蔵したバケットの開発が望まれていた。また、破砕盤等が内蔵されたバケットで被破砕物を直接掬い上げているため、バケット内に被破砕物を投入する効率が悪い、投入量を制御できない、操作性がよくないなどの問題点もあった。更に、被破砕物は移送する過程でバケットからこぼれることも多く、運搬効率の面でも問題があった。
【０００８】
本発明は、前記した課題を解決するためになされたもので、下記の目的を達成する。
本発明の目的は、バケット内に原料を効率よく投入することができ、原料を確実に保持できる構成にした土木機械のバケットを提供することにある。
本発明の他の目的は、大きな駆動トルク等を有する駆動体を使用することなく、バケット内で被破砕物等原料を効率よく破砕することができる土木機械のバケットを提供することにある。
【０００９】
【課題を解決するための手段】
本発明１の土木機械のバケットは、土木機械のアームの先端に揺動可能に設けられ、原料が投入される投入口と破砕された前記原料を排出するための排出口が形成されバケット本体と、このバケット本体内に回転可能に設けられ、原料を破砕するために外周に１以上の破砕歯が設けられた破砕ロータと、この破砕ロータを回転駆動するための駆動装置と、前記バケット本体に揺動可能に設けられ、前記原料を掬い上げるとともに掬い上げた前記原料を前記バケット本体に投入するための投入バケットとを備えている。
【００１０】
本発明２の土木機械のバケットは、本発明１の土木機械のバケットにおいて、前記バケット本体の内壁に設けられ前記破砕ロータの外周方向に沿って配置された１以上の反撥部材が配置されていることを特徴とする。
本発明３の土木機械のバケットは、本発明１又は２の土木機械のバケットにおいて、前記アームに対する前記バケット本体の揺動動作と、前記バケット本体に対する前記投入バケットの揺動動作とを連動させる連動手段が設けられていることを特徴とする。
【００１１】
本発明４の土木機械のバケットは、本発明１又は２の土木機械のバケットにおいて、前記破砕歯は、前記原料を主に打撃作用により破砕する打撃部材であることを特徴とする。
本発明５の土木機械のバケットは、本発明１又は２の土木機械のバケットにおいて、前記バケット本体と前記投入バケットとの間に、前記投入バケットを揺動させるための揺動用駆動装置を設けたことを特徴とする。
本発明６の土木機械のバケットは、本発明３の土木機械のバケットにおいて、前記連動手段は、前記アーム、前記バケット本体、前記投入バケットを連結している４節リンク機構で構成されていることを特徴とする。
【００１２】
本発明７の土木機械のバケットは、土木機械のアームの先端に揺動可能に設けられ、原料が投入される投入口と破砕された前記原料を排出するための排出口が形成されバケット本体と、このバケット本体内に回転可能に設けられ、原料を破砕するために外周に１以上の破砕歯が設けられた破砕ロータと、前記バケット本体に、一端側を中心に揺動可能に設けられ、前記バケット本体に投入された原料を前記破砕ロータ側に押し付ける押し付け部材とを備えたものである。
【００１３】
本発明８の土木機械のバケットは、本発明７の土木機械のバケットにおいて、前記押し付け部材は、前記原料を押し付ける部位が格子状に形成されていることを特徴とする。
本発明９の土木機械のバケットは、本発明７又は８の土木機械のバケットにおいて、前記押し付け部材は、前記一端側と反対側に位置する他端側が前記バケット本体外に突き出し揺動する構成になっていることを特徴とする。
本発明１０の土木機械のバケットは、本発明７又は８の土木機械のバケットにおいて、前記バケット本体の内壁に設けられ前記破砕ロータの外周方向に沿って配置された１以上の反撥部材が配置されていることを特徴とする。
【００１４】
【発明の実施の形態】
［実施の形態１］
以下、本発明の実施の形態１を図面に基づいて説明する。図１は、本発明を適用するバックホー（土木機械）の全体図、図２は、本発明のバケットの断面図、図３は、本発明のバケットの正面図で被破砕物等である原料を掬い上げている状態を示す図、図４は、本発明のバケットの正面図で投入バケットから破砕バケットに被破砕物等である原料を投入している状態を示す図である。
【００１５】
バックホー１は、パワーショベルと同系統の土木機械で、公知の土木掘削機である。一般に機械より低い位置の地盤の掘削に適用され、穴掘り、溝堀り等の作業に適する。機械の容量は、バケット容量で表される。バックホー１は、自走式でクローラ２を介してどの位置へも移動可能である。基体３に第１旋回アーム４が支軸（図示せず）を介して設けられ、第１シリンダ（起伏シリンダ）５により支軸を中心に矢印Ａ方向（上下方向）に起伏される。
【００１６】
第１旋回アーム４の先端には、支軸６ａを介して第２旋回アーム６が設けられ、第１旋回アーム４に設けられた第２シリンダ７により支軸６ａを中心に矢印Ｂ方向に旋回動作する。第２旋回アーム６の先端には、支軸１５を介してバケット９の端部が揺動可能に設けられている。バケット９は破砕バケット１０と投入バケット１１とから構成されている。第２旋回アーム６には、バケットシリンダ８が設けられ、バケットシリンダ８のピストンロッドの先端部が軸１８を介して相対回転（揺動）可能に破砕バケット１０のバケット本体１０ａに取り付けられている。すなわち、バケットシリンダ８の伸縮駆動力によりバケット本体１０ａは、支軸１５を中心に矢印Ｃ方向に揺動する。
【００１７】
また、基体３は、水平方向に旋回できる構成になっている。従って、バケット９は、旋回範囲のどの位置にも移動可能であり、向きも変えることができる。破砕バケット１０のバケット本体１０ａには、支軸１６を介して投入バケット１１が矢印Ｄ方向に揺動可能に設けられている。投入バケット１１は、アスファルトのガラやコンクリートの塊等の被破砕物（被掘削物）を掬い上げ、バケット本体１０ａの内部に収集するためのものである。
【００１８】
破砕バケット１０のバケット本体１０ａは、必ずしも全ての原料を、投入バケット１１を介して投入する訳ではない。底部が開口していない通常のバケット構成で、例えば、山状に積み上げられた原料を掬い上げる場合は、２つのバケットを同時に使用することになり、多量の原料を運搬できるので効率的である。また、バケット本体１０ａに収集した原料をこぼさないように運搬する場合には、投入バケット１１を蓋として使用することも可能である。
【００１９】
以下、バケット本体１０ａの底部は排出口を有し、投入された原料を破砕するバケットとして、実施の形態１を説明する。排出口には、格子、網等のロストルが配置されている（図示せず）。このロストルは、一定以下の粒度のみを排出させ、破砕されないものはバケット本体１０ａの破砕室２８内に残留して再度破砕される。第２旋回アーム６と、投入バケット１１との間には、支軸１４、支軸１７で回転可能に連結されたリンク１３が設けられている。
【００２０】
第２旋回アーム６、破砕バケット１０のバケット本体１０ａ、投入バケット１１、リンク１３は、支軸１４、１５、１６、１７を節とする４節リンク機構からなる連動手段を構成するものであり、バケットシリンダ８の駆動力により破砕バケット１０のバケット本体１０ａが支軸１５を中心に矢印Ｃ方向に揺動するのに連動して、投入バケット１１が支軸１６を中心に矢印Ｄ方向に揺動する。
【００２１】
破砕バケット１０のバケット本体１０ａの投入バケット１１側上部には、投入口２６が設けられている。ロータ軸２０は、破砕バケット１０のバケット本体１０ａに回転可能に設けられ、バケット本体１０ａの外部に配置される図示しない駆動モータまたは駆動モータに駆動される減速機を介して駆動される。ロータ軸２０にはロータディスク２２が固定され、ロータ軸２０とロータディスク２２は破砕ロータを構成するもので一体に回転する。
【００２２】
ロータディスク２２の外周には、一つまたは複数（この実施の形態１では円周４等分の等角度間隔）の打撃部材２１が着脱可能に固定されている。この打撃部材２１は、硬質、かつ、耐摩耗性を有する材料で形成されているものである。打撃部材２１は、形状が角ブロック状をなし、打撃面が磨耗すると、取り外し反転させて取り付け面を打撃面にすることが可能となっている。なお、打撃部材は、ハンマ型のものなどであってもよい。
【００２３】
破砕バケット１０のバケット本体１０ａの内部は、区画された空間で投入された被破砕物３０を破砕処理するための破砕室２８を構成している。この破砕室２８の内壁は対磨耗性のある硬質材で被覆されている。この内壁の一部に第１反撥部材２４、第２反撥部材２５が着脱可能に固定されている。第１反撥部材２４、第２反撥部材２５は、破砕ロータの外周に沿って配置されている。
【００２４】
打撃部材２１が取り付けられた破砕ロータ、第１反撥部材２４、第２反撥部材２５等は、いわゆる衝撃型の破砕装置（衝撃型クラッシャ）を構成するものであり、インパクトクラッシャ、ハンマクラッシャなどとも呼ばれているものである。なお、この実施の形態１では、反撥部材を２個設けた例で説明を行っているが、反撥部材が一つまたは複数個設けてあればよい。
【００２５】
第１反撥部材２４、第２反撥部材２５は硬質、かつ、耐摩耗性を有する材料で構成されている。また、第１反撥部材２４、第２反撥部材２５は一体でなく分割されているものであってもよい。分割されて構成された反撥部材は、著しく磨耗が生じた部分のみ交換することが可能となる。また、この実施の形態１では、第１反撥部材２４、第２反撥部材２５を平板状のものとして説明を行っているが、曲面状のものであってもよい。破砕バケット１０のバケット本体１０ａの下部には、破砕された被破砕物３０ａを排出するために形成された開口部である排出口２７が設けられている。
【００２６】
［破砕方法］
次に、本発明のバケット９における被破砕物の破砕方法の説明を行う。被破砕物は、図３に示すように、投入バケット１１によって掬い上げられ、収集される。ロータ軸２０、ロータディスク２２等より構成される破砕ロータを駆動モータの駆動によって所定の回転速度で矢印Ｅ方向に回転させる。破砕バケット１０をバケットシリンダ８の駆動力で矢印Ｃ’方向に揺動させると、投入バケット１１も４節リンク機構によって矢印Ｄ’方向に揺動する（図４参照）。
【００２７】
すると、投入バケット１１内に収集された被破砕物３０は、図４に示すように破砕バケット１０のバケット本体１０ａの投入口２６から破砕室２８に投入される。被破砕物３０は打撃部材２１にぶつかり、打撃加速される。加速された被破砕物３０は、第１反撥部材２４に衝突し反撥される。この打撃過程の衝撃力、衝突過程の衝撃力で被破砕物３０に対する破砕処理が行われ、被破砕物３０は破砕される。
【００２８】
また、被破砕物３０は、次の打撃部材２１で打撃加速された他の被破砕物３０と破砕室２８内で衝突して互いに破砕される。同様の破砕処理が、打撃部材２１が取り付けられた破砕ロータと第２反撥部材２５との間でも行われる。このように、被破砕物３０を衝撃力で破砕するため、効率のよい破砕ができる。即ち、破砕ロータを駆動する駆動モータはそれほど大きなものを必要とせず、破砕バケット１０に内蔵される破砕装置として好適なものとすることができる。
【００２９】
このようにして、所定の大きさ以下に破砕された被破砕物３０ａは、排出口２７から排出される。排出口２７にはロストルが配置されているので、一定以下の粒度のみを排出させ、破砕されないものはバケット本体１０ａの破砕室２８内に残留して破砕ロータと共に回転して再度破砕される。もし、何らかの理由で、所定の大きさ以下に破砕できなかった場合には、第１旋回アーム４、第２旋回アーム６、バケット９等を旋回又は揺動させて、投入口２６を下側に向かせ、被破砕物を上部の投入口２６側から排出するとよい。
【００３０】
なお、この実施の形態１では、連動手段を４節リンク機構として説明したが、支軸１５、支軸１６間にチェーン・スプロケット機構、歯車列等を配設し、連動させるものであってもよい。また、バケット９を、底部に開口部（排出口）を有する破砕バケット１０と投入バケット１１とで構成されているものとして説明をしたが、底部に開口部のない破砕バケット１０と投入バケット１１で構成されたものであってもよい。
【００３１】
［実施の形態２］
図５、６は、土木機械のバケットの実施の形態２を示す図である。前述した実施の形態１は、破砕バケット１０と投入バケット１１を４節リンク機構で連動させるものであった。図５、６に示す土木機械のバケットは、投入バケット１１を揺動用駆動装置で揺動させるものである。図５は、実施の形態２のバケットの正面図で被破砕物等である原料を投入バケットで掬い上げ可能な状態を示す図である。図６は、実施の形態２のバケットの正面図で投入バケットから破砕バケットに被破砕物等である原料を投入させる状態を示す図である。なお、実施の形態１と同一の部材に関しては、同一の番号を付与し、重複する説明を省略する。
【００３２】
バケット９は、破砕バケット１０と投入バケット１１とから構成されている。破砕バケット１０のバケット本体１０ａには、支軸１６を介して投入バケット１１が矢印Ｄ方向に揺動可能に設けられている。バケット本体１０ａには、投入口２６と排出口２７が設けられている。排出口２７には、格子、網等のロストルが配置されている（図示せず）。バケット本体１０ａの破砕室２８には、ロータ軸、ロータディスク２２ａからなる破砕ロータが回転可能に設けられている。ロータディスク２２ａの外周には、複数個（この実施の形態２では円周１２等分の角度間隔）の破砕歯２１ａが着脱可能に固定されている。
【００３３】
この破砕歯２１ａは、前述の打撃部材２１とは異なり打撃ではなくて主に圧縮、曲げ、楔作用で破砕するものである。従って、破砕歯２１ａは、前述した打撃部材２１とは歯の形状等も異なり、配置される個数が異なり、かつ運転するときの回転数も異なる。また、破砕室２８の一部に反撥部材２４ａが着脱可能に固定されている。破砕室２８の投入された被破砕物は、図示しない駆動モータの駆動により所定の回転数で回転している破砕ロータに取り付けられた破砕歯２１ａと反撥部材２４ａによって破砕処理される。すなわち、破砕歯２１ａとバケット本体１０ａ、又は破砕歯２１ａと反撥部材２４ａとの間での相互作用による投入原料への圧縮、曲げ、楔作用等で被破砕物の破砕処理が行われる。
【００３４】
バケット本体１０ａの外側には、取り付け部１０ｂが形成されている。また、投入バケット１１の外側にも、取り付け部１１ａが形成されている。取り付け部１０ｂと取り付け部１１ａとの間には、クレビス型の流体圧シリンダ（駆動体）５１が設けられている。すなわち、流体圧シリンダ５１の本体部は取り付け部１０ｂに対して相対的に揺動回転可能に取り付けられている。また、流体圧シリンダ５１のピストンロッド５２が取り付け部１１ａに対して相対的に揺動回転可能に取り付けられている。
【００３５】
流体圧シリンダ５１のピストンロッド５２を進退移動させることにより、投入バケット１１は支軸１６を中心に矢印Ｄ方向に揺動する。すなわち、投入バケット１１は、ピストンロッド５２を縮小方向に移動させた被破砕物を掬い上げる位置（図５の状態）と、ピストンロッド５２を伸長方向に移動させたバケット本体１０ａに被破砕物を投入する位置（図６の状態）とに揺動する。このように、投入バケット１１の揺動用駆動装置５０を別途設けると、投入バケット１１の動作の自由度が増加し、掬い上げ作業、投入作業等の操作が容易となる。
【００３６】
図７、８は、投入バケット１１の揺動用駆動装置の他の例を示した図である。図７は、バケットの正面図で被破砕物等である原料を投入バケットで掬い上げ可能な状態を示す図である。図８は、バケットの正面図で投入バケットから破砕バケットに被破砕物等である原料を投入可能な状態を示す図である。
【００３７】
バケット本体１０ａに対して支軸１６ａが回転可能に設けられている。支軸１６ａと投入バケット１１は、一体に回転するように設けられている。支軸１６ａには、一体に回転するクランク部１６ｂが形成されている。クランク部１６ｂと取り付け部１０ｂとの間に、クレビス型の流体圧シリンダ５１が設けられている。すなわち、流体圧シリンダ５１の本体部は取り付け部１０ｂに対して相対回転可能に取り付けられている。また、流体圧シリンダ５１のピストンロッド５２がクランク部１６ｂに対して相対回転可能に取り付けられている。流体圧シリンダ５１のピストンロッド５２を進退移動させることにより、投入バケット１１が支軸１６ａを中心に矢印Ｄ方向に揺動する。この例は、バケット本体１０ａ内の一部を仕切り流体圧シリンダ５１を内装する状態で示している。
【００３８】
なお、この実施の形態２では、投入バケット揺動用の駆動装置を、流体圧シリンダを利用したものとして説明を行ったが、駆動モータ、揺動型アクチュエータ（トルクアクチュエータ）等他の駆動体を利用したものが適用できることはいうまでもない。
【００３９】
［実施の形態３］
図９、１０は、土木機械のバケットの実施の形態３を示す図である。前述した実施の形態１、及び２は、被破砕物等である原料は、その重量で自然落下することで破砕室に投入され、落下してきた被破砕物等である原料が回転している打撃部材で打撃されるものであった。図９、１０に示す土木機械のバケットは、被破砕物等である原料を打撃部材が取り付けられた破砕ロータ側に、強制的に押し付ける押し付け部材を設けたものである。図９は、押し付け部材が設けられたバケットの正面図、図１０は、図９の側面図である。なお、実施の形態３は、実施の形態２とバケットの基本形態は同じとしている。実施の形態２と同一の部材に関しては、同一の番号を付与し詳細な説明を省略する。
【００４０】
バケット９のバケット本体１１０には、押し付け部材６０が揺動可能に設けられている。バケット本体１１０の底部側には、ストッパ部６５が形成され、押し付け部材６０が破砕ロータ側に揺動できる範囲を規制している。押し付け部材６０が一端側を軸部６１に支持され、バケット本体１１０に揺動可能に設けられている。押し付け部材６０は、他端側の一部がバケット本体１１０より外方に突出するようになっており、突出した他端が先端部６２となっている。
【００４１】
押し付け部材６０は、軸部６１を中心に矢印Ｅ方向に一部がバケット本体１１０より突出した状態でバケット本体１１０内を揺動する。押し付け部材６０の中間部は、被破砕物（原料）３０と当接して押圧する原料押圧部６３であり、図１０に示すように格子状に形成されている。この格子の間隔より大きい被破砕物３０が、破砕歯２１ａが取り付けられた破砕ロータ側に押圧される。
【００４２】
すなわち、押し付け部材６０の先端部６２が、作業者によるバックホー（土木機械）１の操縦によって、押し付け部材６０がフリーな状態（図９の２点鎖線で示した状態）から、先端部６２を地面Ｇ等固定面に当接させると、図９の実線で示した状態に揺動する。このように、押し付け部材６０が被破砕物３０を破砕ロータ側に強制的に押し付けた状態で、破砕歯２１ａが被破砕物３０を打撃するので、効率よく確実に破砕処理することができる。
【００４３】
なお、実施の形態３では、押し付け部材を、地面Ｇ等固定面に先端部６２を当接させることによって破砕室２８内に投入された被破砕物３０を破砕ロータ側に押し付けるものとして説明を行ったが、これに限定されることはない。駆動体によって押し付け部材を揺動させ、破砕ロータ側に被破砕物を押し付けるものであってもよい。
【００４４】
また、押し付け部材の原料押圧部の形状を格子状のものとして説明を行ったが、所定の大きさ以上の被破砕物（原料）を押し付け可能で、それ以下の被破砕物（原料）が通過できる形状のものであればよい。さらに、投入バケットが設けられていないバケットに適用した例で説明を行ったが、投入バケットを有するバケットに適用できることはいうまでもない。
【００４５】
【発明の効果】
以上詳記したように、本発明は破砕バケットに投入バケットを設けたので、原料の運搬効率が向上したことに加え、破砕装置を内蔵した破砕バケットに効率よく原料を供給することができた。また、投入バケットを設けることで、破砕装置を有する破砕バケットに最適な量の原料を投入することができる。
【００４６】
さらに、破砕処理能力を超えた場合等には、投入口側から戻すことができるので取り扱い、メンテナンスが容易となった。また、破砕バケットと投入バケットの連動手段を設けたものでは、投入バケットの駆動に駆動体を必要とせず、簡素な構成とすることができ、メンテナンスも容易となった。さらに、投入バケットを揺動用駆動装置で揺動させるものでは、投入バケットの動作の自由度が増し、操作が容易となった。
【００４７】
バケットに押し付け部材を設けたものは、原料を破砕ロータ側に強制的に押し付けた状態で、打撃部材に打撃させて破砕処理させるので、さらに効率よく破砕処理を行うことができる。
【図面の簡単な説明】
【図１】図１は、本発明を適用する土木機械の全体図である。
【図２】図２は、本発明の実施の形態１のバケットの断面図である。
【図３】図３は、本発明の実施の形態１のバケットの正面図で、被破砕物等である原料を投入バケットで掬い上げている状態を示す図である。
【図４】図４は、本発明の実施の形態１のバケットの正面図で、投入バケットから破砕バケットに被破砕物等である原料を投入している状態を示す図である。
【図５】図５は、本発明の実施の形態２のバケットの正面図で、被破砕物等である原料を投入バケットで掬い上げ可能な状態を示す図である。
【図６】図６は、本発明の実施の形態２のバケットの正面図で、投入バケットから破砕バケットに被破砕物等である原料を投入可能な状態を示す図である。
【図７】図７は、本発明の実施の形態２の他の例のバケットの正面図で、被破砕物等である原料を投入バケットで掬い上げ可能な状態を示す図である。
【図８】図８は、本発明の実施の形態２の他の例のバケットの正面図で、投入バケットから破砕バケットに被破砕物等である原料を投入可能な状態を示す図である。
【図９】図９は、本発明の実施の形態３の押し付け部材が設けられたバケットの正面図である。
【図１０】図１０は、図９の側面図である。
【符号の説明】
１…バックホー
３…基体
４…第１旋回アーム
５…第１シリンダ
６…第２旋回アーム
７…第２シリンダ
８…バケットシリンダ
９…バケット
１０…破砕バケット
１０ａ，１１０…バケット本体
１１…投入バケット
１３…リンク
２０…ロータ軸
２１…打撃部材
２１ａ…破砕歯
２４…第１反撥部材
２４ａ…反撥部材
２５…第２反撥部材
２８…破砕室
３０…原料（被破砕物）
５０…投入バケット揺動用駆動装置
６０…押し付け部材
【図１】
2004346669.tif 000003
【図２】
2004346669.tif 000004
【図３】
2004346669.tif 000005
【図４】
2004346669.tif 000006
【図５】
2004346669.tif 000007
【図６】
2004346669.tif 000008
【図７】
2004346669.tif 000009
【図８】
2004346669.tif 000010
【図９】
2004346669.tif 000011
【図１０】
2004346669.tif 000012